(57)【要約】【課題】内容液がこぼれたり、手に付着したりすることなく、容易に２種類の液体の混合し、混合溶液を吐出することが可能な吐出容器を提供する。【解決手段】口部１１、胴部１３、及び胴部１３の下端開口を閉塞する底部１４を有する容器本体１０と、口部１１に対して回転可能に装着される回転キャップ２０と、回転キャップ２０に装着され、吐出具３２を有する吐出キャップ３０と、を備え、回転キャップ２０は、容器本体１０の内部空間Ｓを第１収容空間Ｓ１と第２収容空間Ｓ２とに区画する有底筒状の内容器部２１と、内容器部２１を口部１１に係合保持する装着部２２と、を有し、容器本体１０に対して回転キャップ２０を所定方向に回転させることにより、内容器部２１の一部が破断し、もしくは内容器部２１に開口２８ａが形成されて第１収容空間Ｓ１と第２収容空間Ｓ２とが連通するように構成されていることを特徴とする。【選択図】図１
2020164228.tif 000002
【特許請求の範囲】
【請求項１】
筒状の口部、口部の下方に位置する胴部、及び胴部の下端開口を閉塞する底部を有する容器本体と、
前記口部に対して回転可能に装着される回転キャップと、
前記回転キャップに装着され、吐出具を有する吐出キャップと、を備え、
前記回転キャップは、前記容器本体の内部空間を第１収容空間と第２収容空間とに区画する有底筒状の内容器部と、前記内容器部を前記口部に係合保持する装着部と、を有し、
前記容器本体に対して前記回転キャップを所定方向に回転させることにより、前記内容器部の一部が破断し、もしくは前記内容器部に開口が形成されて、前記第１収容空間と前記第２収容空間とが連通するように構成されていることを特徴とする吐出容器。
【請求項２】
前記回転キャップが、前記口部に螺合しており、
前記内容器部の下端部に設けられた内底壁は、前記容器本体の前記底部に係合保持されて上方移動を抑制されており、
前記容器本体に対して前記回転キャップを螺脱方向に回転させることにより、前記内容器部に設けられた弱化部が破断して、前記第１収容空間と前記第２収容空間とが連通するように構成されている、請求項１に記載の吐出容器。
【請求項３】
前記内底壁には、前記底部に設けられた円筒壁の内周側に係合保持される嵌合筒部が設けられている、請求項２に記載の吐出容器。
【請求項４】
前記底部は、前記胴部に装着される環状の底部本体と、前記底部本体に設けられた前記円筒壁を外側から覆うように前記底部本体に装着される底蓋とを有する、請求項３に記載の吐出容器。
【請求項５】
前記内容器部は、前記容器本体の底部に設けられた円筒壁に螺合するように構成された嵌合筒部を有し、
前記容器本体に対して前記回転キャップを螺合方向に回転させた際に、前記嵌合筒部が下方に移動して前記内容器部に設けられた弱化部が破断することにより、前記第１収容空間と前記第２収容空間とが連通するように構成されている、請求項１に記載の吐出容器。
【請求項６】
前記弱化部は、前記内容器部における筒状の内筒壁の周方向に沿って斜めに延在している、請求項５に記載の吐出容器。
【請求項７】
前記内容器部における筒状の内筒壁において、前記弱化部の下側の部分の外周面の直径が、前記弱化部の上側の部分の内周面の直径よりも小さくなっている、請求項５又は６に記載の吐出容器。
【請求項８】
前記内容器部は、筒状の内筒壁と、前記内筒壁の下端部に装着される可動栓部材とを有し、
前記可動栓部材は、前記容器本体の底部に設けられた円筒壁に螺合するように構成されており、
前記容器本体に対して前記回転キャップを螺合方向に回転させた際に、前記可動栓部材が下方に移動して、前記可動栓部材に設けられた連通孔が開放されて前記開口が形成されることにより、前記第１収容空間と前記第２収容空間とが連通するように構成されている、請求項１に記載の吐出容器。
【請求項９】
前記吐出具は、ノズルヘッドの押下げによりポンプ機構が作用して、吐出口から混合溶液を吐出するよう構成された押下げポンプ形式の吐出具である、請求項１〜８の何れか一項に記載の吐出容器。
【発明の詳細な説明】
【技術分野】
【０００１】
本発明は、２種類の内容液を混合して用いる吐出容器に関する。
【背景技術】
【０００２】
従来、化粧料等の内容物を収容する吐出容器として、ノズルヘッドの押し下げによりポンプ機構を作動させて、ノズルヘッドの吐出口から内容物を吐出させる容器が知られている。このような容器としては、例えば、ボトル状の容器本体の口部に対して装着されるノズルヘッドを備えたポンプ部、及びポンプ部の下部に接続された吸上げパイプを備えた構成がある（特許文献１参照）。
【先行技術文献】
【特許文献】
【０００３】
【特許文献１】特開平８−１１９５７号公報
【発明の概要】
【発明が解決しようとする課題】
【０００４】
ところで、例えば、化粧水等にブースター（導入液）を混合して使用する場合や、毛染め用液として２種類の薬剤を混合して使用する場合など、内容物が複数種類の液体の混合物であることがある。そして、このような混合された液体の多くは、時間と共に効果や性質が次第に変化するために使用の直前に作成する必要がある。このため、上記のような吐出容器を用いて混合液体を吐出する場合には、使用の直前にポンプ機構部を吸上げパイプとともに容器本体から取り外して、他の注入容器に収容された液体（注入物）を容器本体に注入して混合液体を作成する必要がある。
【０００５】
しかしながら、容器本体の口部は小径で注入物の注入が難しく、注入過程で注入物がこぼれたり、手に付着したりする虞がある。また、内容物を全て吐出し終えた後で、内容物を再度充填して使用する場合にも、ポンプ機構部を容器本体から取り外す必要があるため、ポンプ機構部の外面や吸上げパイプに付着した内容物が飛散したり、テーブル等に置く際に、当該テーブル等の載置面に内容物が付着したりする虞がある。
【０００６】
それゆえ本発明は、２液混合タイプの吐出容器において、内容液がこぼれたり、手に付着したりすることなく、容易に２種類の液体の混合し、混合溶液を吐出することが可能な吐出容器を提供することを目的とするものである。
【課題を解決するための手段】
【０００７】
本発明は、上記課題を解決するためになされたものであり、本発明の吐出容器は、筒状の口部、口部の下方に位置する胴部、及び胴部の下端開口を閉塞する底部を有する容器本体と、
前記口部に対して回転可能に装着される回転キャップと、
前記回転キャップに装着され、吐出具を有する吐出キャップと、を備え、
前記回転キャップは、前記容器本体の内部空間を第１収容空間と第２収容空間とに区画する有底筒状の内容器部と、前記内容器部を前記口部に係合保持する装着部と、を有し、
前記容器本体に対して前記回転キャップを所定方向に回転させることにより、前記内容器部の一部が破断し、もしくは前記内容器部に開口が形成されて、前記第１収容空間と前記第２収容空間とが連通するように構成されていることを特徴とするものである。
【０００８】
なお、本発明の吐出容器にあっては、前記回転キャップが、前記口部に螺合しており、
前記内容器部の下端部に設けられた内底壁は、前記容器本体の前記底部に係合保持されて上方移動を抑制されており、
前記容器本体に対して前記回転キャップを螺脱方向に回転させることにより、前記内容器部に設けられた弱化部が破断して、前記第１収容空間と前記第２収容空間とが連通するように構成されていることが好ましい。
【０００９】
また、本発明の吐出容器にあっては、前記内底壁には、前記底部に設けられた円筒壁の内周側に係合保持される嵌合筒部が設けられていることが好ましい。
【００１０】
また、本発明の吐出容器にあっては、前記底部は、前記胴部に装着される環状の底部本体と、前記底部本体に設けられた前記円筒壁を外側から覆うように前記底部本体に装着される底蓋とを有することが好ましい。
【００１１】
また、本発明の吐出容器にあっては、前記内容器部は、前記容器本体の底部に設けられた円筒壁に螺合するように構成された嵌合筒部を有し、
前記容器本体に対して前記回転キャップを螺合方向に回転させた際に、前記嵌合筒部が下方に移動して前記内容器部に設けられた弱化部が破断することにより、前記第１収容空間と前記第２収容空間とが連通するように構成されていることが好ましい。
【００１２】
また、本発明の吐出容器にあっては、前記弱化部は、前記内容器部における筒状の内筒壁の周方向に沿って斜めに延在していることが好ましい。
【００１３】
また、本発明の吐出容器にあっては、前記内容器部における筒状の内筒壁において、前記弱化部の下側の部分の外周面の直径が、前記弱化部の上側の部分の内周面の直径よりも小さくなっていることが好ましい。
【００１４】
また、本発明の吐出容器にあっては、前記内容器部は、筒状の内筒壁と、前記内筒壁の下端部に装着される可動栓部材とを有し、
前記可動栓部材は、前記容器本体の底部に設けられた円筒壁に螺合するように構成されており、
前記容器本体に対して前記回転キャップを螺合方向に回転させた際に、前記可動栓部材が下方に移動して、前記可動栓部材に設けられた連通孔が開放されて前記開口が形成されることにより、前記第１収容空間と前記第２収容空間とが連通するように構成されていることが好ましい。
【００１５】
また、本発明の吐出容器にあっては、前記吐出具は、ノズルヘッドの押下げによりポンプ機構が作用して、吐出口から混合溶液を吐出するよう構成された押下げポンプ形式の吐出具であることが好ましい。
【発明の効果】
【００１６】
本発明によれば、２液混合タイプの吐出容器において、内容液がこぼれたり、手に付着したりすることなく、容易に２種類の液体の混合し、混合溶液を吐出することが可能な吐出容器を提供することができる。
【図面の簡単な説明】
【００１７】
【図１】本発明の一実施形態に係る吐出容器の初期状態を示す側面視での断面図である。
【図２】図１の吐出容器の部分拡大図である。
【図３】図１の吐出容器の使用状態を示す側面視での断面図である。
【図４】本発明の他の実施形態に係る吐出容器の初期状態を示す側面視での断面図である。
【図５】図４の吐出容器の使用状態を示す側面視での断面図である。
【図６】本発明のさらに他の実施形態に係る吐出容器の初期状態を示す側面視での断面図である。
【図７】図６の吐出容器の使用状態を示す側面視での断面図である。
【図８】（ａ）は、図６の吐出容器における連通孔の一例を示す部分拡大図であり、（ｂ）は図６の吐出容器における連通孔の変形例を示す部分拡大図である。
【発明を実施するための形態】
【００１８】
以下、図面を参照して、本発明をより具体的に例示説明する。なお、本明細書において、上下方向とは吐出容器の中心軸線である軸線Ｏに沿う方向を意味し、「上」側とは容器本体１０に対して吐出キャップ３０が位置する側であり、「下」側とはその反対側（吐出キャップ３０に対して容器本体１０が位置する側）である。
【００１９】
図１〜３は、本発明の一実施形態（第１実施形態）に係る吐出容器１を示す。図１に示すように、吐出容器１は、容器本体１０と、回転キャップ２０と、吐出キャップ３０とを備える。吐出容器１は、２種類の液体を混合した混合液体を吐出する容器として用いることができる。なお、軸線Ｏは、吐出容器１の中心軸線であり、回転キャップ２０の回転軸線に一致する。
【００２０】
容器本体１０は、円筒状の口部１１と、口部１１の下方に肩部１２を介して連なる筒状の胴部１３と、胴部１３の下端開口を閉塞する底部１４とを有する。なお、底部１４は、胴部１３とは別に形成され、胴部１３の下端部に装着されている。
【００２１】
本例の口部１１の外周面には雄ねじ部１１ａが設けられている。また、口部１１の内周面には環状のシール凸部１１ｂが設けられている。
【００２２】
肩部１２は、口部１１と胴部１３の間に位置する環状の部分である。本例の肩部１２は、容器本体１０の軸線Ｏに対して垂直に延在している。肩部１２には、肩部１２の上面から上方に突出する筒状壁１５が設けられている。筒状壁１５の外周面には、径方向外側に突出する抜け止め凸部１５ａ及び戻り止め凸部１５ｂが設けられている。
【００２３】
抜け止め凸部１５ａは、後述する回転キャップ２０の抜け止め凸部２５ａに係合して、容器本体１０に対する回転キャップ２０の上昇を所定の範囲に抑制する。戻り止め凸部１５ｂは、抜け止め凸部１５ａの下方に配置されている。戻り止め凸部１５ｂは、一度上昇させた回転キャップ２０が下方に戻らないように、後述する回転キャップ２０の抜け止め凸部２５ａに係合する。これにより、第１収容空間Ｓ１と第２収容空間Ｓ２の連通状態が確実に維持される。
【００２４】
本例の胴部１３は、円筒状であり、その上端部は、肩部１２の外周縁に連なる。胴部１３の下端部には、底部１４が嵌合保持されている。図２にも示すように、胴部１３の外周面には、係合凸部１３ａが設けられている。係合凸部１３ａは、胴部１３の下端部に形成された小径部１３ｂに設けられている。小径部１３ｂは、胴部１３の他の部分に比べて薄肉に形成されていることで、他の部分に比べて外周面の直径が小さくなっている。
【００２５】
底部１４は、胴部１３の下端開口を閉塞している。底部１４は、胴部１３の下端部に嵌合する環状の底部本体１６と、底部本体１６の中央の開口１６ａを塞ぐ底蓋１７とを有する。底部本体１６は、胴部１３の下端部の外周面に沿って配置される外周壁１６ｂと、外周壁１６ｂの下端部に連なる連結壁１６ｃと、連結壁１６ｃの内周縁部から上方に延びる内周壁１６ｄとを有する。底部本体１６は、さらに、内周壁１６ｄの上端部から径方内側に延在し、軸線Ｏに向けて下向きに傾斜する傾斜壁１６ｅと、傾斜壁１６ｅの内周縁から垂下する円筒壁１６ｆとを有する。円筒壁１６ｆの下端部に開口１６ａが形成されている。
【００２６】
外周壁１６ｂは、胴部１３の小径部１３ｂに嵌り込むように配置される。また、外周壁１６ｂの内周面には、胴部１３の係合凸部１３ａに係合する内向き凸部１６ｇが設けられている。なお、本例では、外周壁１６ｂと内周壁１６ｄとで胴部１３の小径部１３ｂを挟み込むことで、胴部１３と底部本体１６間のシール性を高めている。
【００２７】
円筒壁１６ｆの外周面には、係合凸部１６ｈが設けられている。また円筒壁１６ｆの内周面には、保持突起１６ｋが設けられている。
【００２８】
底蓋１７は、円筒壁１６ｆの外周側に配置される外筒部１７ａと、外筒部１７ａの下端部に連なる閉塞壁部１７ｂと、外筒部１７ａの径方向内側（内周側）において閉塞壁部１７ｂから上方に突出するシール筒部１７ｃとを有する。外筒部１７ａの内周面には、円筒壁１６ｆの係合凸部１６ｈに係合する係合凸部１７ｄが設けられている。外筒部１７ａによって、円筒壁１６ｆの径方向外側への変形が抑制されるため、円筒壁１６ｆと嵌合筒部２１ｆとの嵌合強度が高まり、容器本体１０の底部１４から回転キャップ２０の内底壁２１ｃがより抜け出し難くなる。なお、底蓋１７は必須の構成ではなく、底部１４を底部本体１６のみで構成してもよい。
【００２９】
回転キャップ２０は、容器本体１０の口部１１に対して回転可能に装着されている。本例の回転キャップ２０は、口部１１に螺合しており、容器本体１０に対する回転キャップ２０の回転に伴って、軸線Ｏに沿う軸方向（上下方向）に移動する。
【００３０】
回転キャップ２０は、有底筒状の内容器部２１と、内容器部２１の外周側に設けられ、口部１１に装着される装着部２２とを有する。装着部２２は、内容器部２１の外周面から突出する外向きフランジ２３と、外向きフランジ２３から垂下する螺合壁２４及び操作壁２５とを有する。内容器部２１の内部の空間が第１収容空間Ｓ１となり、容器本体１０の内部における内容器部２１の外側の空間が第２収容空間Ｓ２となる。つまり、内容器部２１は、容器本体１０の内部空間Ｓを、第１収容空間Ｓ１及び第２収容空間Ｓ２からなる２つの空間に区画する。
【００３１】
内容器部２１は、円筒状の内筒壁２１ａと、内筒壁２１ａの下端部に薄肉の弱化部２１ｂを介して連なる内底壁２１ｃと、を有する。内底壁２１ｃは、底部１４に係合保持され、当該底部１４に対する上方移動を抑制されている。内容器部２１において、外向きフランジ２３の上方に突出する内筒壁２１ａの上部（装着壁２６）の外周面には、雄ねじ部２１ｄが設けられている。弱化部２１ｂは、回転キャップ２０を螺脱方向に回転させることで内筒壁２１ａが上方に移動する際に破断するよう構成されており、これにより少なくとも部分的に内筒壁２１ａと内底壁２１ｃとが分離して、第１収容空間Ｓ１と第２収容空間Ｓ２とが連通する。内底壁２１ｃは、弱化部２１ｂへの連結部から径方向内側に向けて下向きに傾斜する傾斜部２１ｅと、傾斜部２１ｅの内周縁から垂下する嵌合筒部２１ｆと、嵌合筒部２１ｆの開口を塞ぐ閉塞壁２１ｇを有する。
【００３２】
図１、２に示すように、傾斜部２１ｅは、底部本体１６の傾斜壁１６ｅに沿って配置され、嵌合筒部２１ｆは、円筒壁１６ｆ及びシール筒部１７ｃの内周側に配置される。嵌合筒部２１ｆは、円筒壁１６ｆの内周側に係合保持される。嵌合筒部２１ｆの外周面には、保持突起１６ｋに係合する突起部２１ｈが設けられている。
【００３３】
螺合壁２４の内周面には、口部１１の雄ねじ部１１ａに螺合する雌ねじ部２４ａが設けられている。操作壁２５の内周面には、筒状壁１５の抜け止め凸部１５ａに係合して回転キャップ２０の上方への移動を抑制する抜け止め凸部２５ａが設けられている。
【００３４】
なお、弱化部２１ｂは内容器部２１の周方向全体（全周）にわたって延在する環状の薄肉部であってもよいし、周方向に間欠した形状であってもよい。また、弱化部２１ｂは、本例のように軸線Ｏに垂直な方向に、周方向に直線的に延在する形状に限らず、湾曲部、屈曲部を有する形状であってもよい。また、弱化部２１ｂの位置は、図示例のような内筒壁２１ａと内底壁２１ｃの境界部分に限定されず、適宜変更可能である。例えば、弱化部２１ｂを内筒壁２１ａの中間部に設けてもよいし、内底壁２１ｃの傾斜部２１ｅ等に設けてもよい。
【００３５】
吐出キャップ３０は、回転キャップ２０に装着されている。図１に示す初期状態において、吐出キャップ３０は、内容器部２１の上端開口部を閉塞しており、これにより、第１収容空間Ｓ１が密閉されている。なお、図１に示す初期状態において、第２収容空間Ｓ２は、口部１１に装着された回転キャップ２０と、容器本体１０とによって密閉されている。吐出キャップ３０は、第１内容液と第２内容液とを混合した混合溶液を、ノズルヘッド３５の吐出口３８から吐出可能に構成されている。
【００３６】
本例の吐出キャップ３０は、内容器部２１の内筒壁２１ａの上端部に装着される装着キャップ３１と、装着キャップ３１によって保持される吐出具３２とを有する。
【００３７】
装着キャップ３１は、装着筒部３１ａと、装着筒部３１ａの上端部に連なる内向きフランジ３１ｂと、内向きフランジ３１ｂの上面から突出する上側筒部３１ｃと、を有する。装着筒部３１ａの内周面には、回転キャップ２０に設けた雄ねじ部２１ｄに螺合する雌ねじ部３１ｄが設けられている。
【００３８】
吐出具３２は、内筒壁２１ａの内周側（第１収容空間Ｓ１）に配置されるポンプ部３３と、ポンプ部３３から上方に延びるステム３４と、ステム３４の上端部に接続されたノズルヘッド３５とを備える。
【００３９】
ポンプ部３３は、ノズルヘッド３５の押下げ操作により、吐出容器１の内部の混合溶液を、吸上げパイプ３３ｃの下端開口から吸い上げて吐出口３８に向けて圧送するものである。ポンプ部３３の具体的な構成は特に限定されない。
【００４０】
本例のポンプ部３３は、シリンダ部３３ａと、シリンダ部３３ａの外周面から径方向外側に向けて延在するフランジ部３３ｂと、シリンダ部３３ａの下端部に接続された吸上げパイプ３３ｃとを有する。吸上げパイプ３３ｃは、内容器部２１の内底壁２１ｃ付近まで延びている。フランジ部３３ｂの下面と、内筒壁２１ａの上端面との間には、シール性を高めるための環状のシール部材３６が配置されている。
【００４１】
ノズルヘッド３５は、軸線Ｏに沿って押下げ可能に構成されている。ノズルヘッド３５は、前方に延びるノズル３７を有し、ノズル３７の先端に吐出口３８が設けられている。
【００４２】
本例では、オーバーキャップ４０が、吐出キャップ３０に対して着脱可能に装着されている。オーバーキャップ４０は、円板状の天壁４１と、天壁４１の外周縁部から垂下する周壁４２とを有し、ノズルヘッド３５を外側から覆っている。オーバーキャップ４０は、周壁４２が装着筒部３１ａの外周面に嵌合することにより装着キャップ３１に嵌合保持されている。
【００４３】
以下に、吐出容器１の使用方法について説明する。なお、図１に示す初期状態において、第１収容空間Ｓ１及び第２収容空間Ｓ２はそれぞれ密閉されている。つまり、初期状態において、第１収容空間Ｓ１と第２収容空間Ｓ２とは相互に連通していない。
【００４４】
そして、容器本体１０に対して回転キャップ２０の装着部２２（操作壁２５）を螺脱方向に回転させると、回転キャップ２０は容器本体１０に対して軸線Ｏに沿って上方に移動する。この時、内容器部２１の内筒壁２１ａは上方に移動するものの、内底壁２１ｃは容器本体１０の底部１４に保持されているため上方に移動しない。その結果、回転キャップ２０の上昇に伴って、薄肉の弱化部２１ｂが徐々に破断していき、最終的には、図３に示すように、内筒壁２１ａと内底壁２１ｃとが分離する。そして、弱化部２１ｂが破断することにより、第１収容空間Ｓ１と第２収容空間Ｓ２とが連通し、第１収容空間Ｓ１に収容された第１内容液と第２収容空間Ｓ２に収容された第２内容液が混合される。なお、弱化部２１ｂが破断した状態においても容器本体１０の内部空間Ｓは閉塞されているため、内容液が外部に漏れる虞がない。したがって、例えば吐出容器１を強く振ることにより、第１内容液と第２内容液との混合を促すことも可能となる。
【００４５】
そして、図３に示すように、オーバーキャップ４０を取り外した状態の吐出容器１のノズルヘッド３５を押し下げることにより、第１内容液と第２内容液とを混合した混合溶液を吐出口３８から吐出することができる。
【００４６】
以上の通り、本実施形態の吐出容器１は、筒状の口部１１、口部１１の下方に位置する胴部１３、及び胴部１３の下端開口を閉塞する底部１４を有する容器本体１０と、口部１１に対して回転可能に装着される回転キャップ２０と、回転キャップ２０に装着され、吐出具３２を有する吐出キャップ３０と、を備え、回転キャップ２０は、容器本体１０の内部空間Ｓを第１収容空間Ｓ１と第２収容空間Ｓ２とに区画する有底筒状の内容器部２１と、内容器部２１を口部１１に係合保持する装着部２２と、を有し、容器本体１０に対して回転キャップ２０を所定方向に回転させることにより、内容器部２１の一部が破断して第１収容空間Ｓ１と第２収容空間Ｓ２とが連通するように構成されている。
【００４７】
このような構成により、本実施形態の吐出容器１にあっては、容器本体１０に対して回転キャップ２０を螺脱方向に回転させる操作のみで、弱化部２１ｂを破断させ、第１収容空間Ｓ１と第２収容空間Ｓ２とを連通させることができる。したがって、吐出容器１に収容された２種類の内容液（第１内容液と第２内容液）を混合する過程で、内容液がこぼれたり、手に付着したりする虞がなく、容易に２種類の内容液を混合することができる。また、容器本体１０に対して回転キャップ２０を螺脱方向に回転させるだけで２種類の内容液を混合することができるので、操作が容易である。
【００４８】
また、本実施形態の吐出容器１にあっては、１つの容器本体１０の内部を内容器部２１で区画して第１収容空間Ｓ１と第２収容空間Ｓ２とを形成しているため、２種類の内容液をそれぞれ収容する２つの容器を準備する必要がない。そのため、２種類の容器を用いる場合に比べて、吐出容器１の保管、流通の効率を高めることができる。
【００４９】
また、本実施形態の吐出容器１にあっては、吐出キャップ３０に、ノズルヘッド３５の押下げによりポンプ機構が作用して、吐出口３８から混合溶液を吐出するよう構成された押下げポンプ形式の吐出具３２を設けたことにより、混合溶液を吐出する際に複雑な操作が必要なく、ノズルヘッド３５を押し下げるだけで容易に混合溶液を吐出することができる。
【００５０】
なお、本例では、容器本体１０の底部１４に傾斜壁１６ｅを設け、さらに内底壁２１ｃに傾斜部２１ｅを設けることで、容器本体１０の内部空間Ｓの底面が中心に向けて下向きに傾斜するようにしている。また、本例では、嵌合筒部２１ｆ及び閉塞壁２１ｇにより、内部空間Ｓの底面の中心部分が最も深くなるように形成されており、且つ、吸上げパイプ３３ｃの下端開口が当該内部空間Ｓの最深部付近に配置されている。そのため、吐出容器１の混合溶液を最後まで使い切り易くなり、使用後の混合溶液の残留量を低減することができる。
【００５１】
以下に、吐出容器１の組立て及び各内容液の充填の方法の一例について説明する。先ず、容器本体１０の口部１１に回転キャップ２０を装着し、且つ、容器本体１０の下端部に底部１４を装着していない状態で、容器本体１０を倒立姿勢として、胴部１３の下端開口から第２収容空間Ｓ２に第２内容液を充填する。なお容器本体１０の倒立姿勢とは、口部１１が下向きとなり、胴部１３の下端開口が上向きとなる姿勢である。そして、第２内容液を充填後に胴部１３に底部１４を装着することで、胴部１３の下端開口を密閉することができる。つまり、第２収容空間Ｓ２が密閉される。胴部１３に底部１４を装着する際には、先に底部本体１６を装着し、次いで底蓋１７を底部本体１６に装着する。底部本体１６を胴部１３の下端開口に装着する際、底部本体１６の円筒壁１６ｆは回転キャップ２０の嵌合筒部２１ｆの外周側に差し込まれ、円筒壁１６ｆの保持突起１６ｋと嵌合筒部２１ｆの突起部２１ｈとが摺動しながら相互に乗り越える。そして、最終的に保持突起１６ｋと突起部２１ｈとが係合することで、円筒壁１６ｆに嵌合筒部２１ｆが抜け止め保持される。そして、底部本体１６の円筒壁１６ｆを外側から覆うように底蓋１７を取り付けることで、回転キャップ２０の内底壁２１ｃが、容器本体１０の底部１４に、強固に固定されることとなる。
【００５２】
次いで、容器本体１０を反転させて正立姿勢とし、吐出キャップ３０が装着されていない状態の回転キャップ２０の内容器部２１の上端開口部から第１収容空間Ｓ１に第１内容液を充填する。そして、回転キャップ２０の装着壁２６に吐出キャップ３０を螺合して装着することで、第１収容空間Ｓ１が密閉される。オーバーキャップ４０は、回転キャップ２０に吐出キャップ３０を装着した後で取付けてもよいし、予め吐出キャップ３０に取り付けていておいてもよい。
【００５３】
なお、上記の方法では、第２収容空間Ｓ２に第２内容液を充填した後で、第１収容空間Ｓ１に第１内容液を充填するようにしたが、その逆に、正立姿勢とした容器本体１０の第１収容空間Ｓ１に第１内容液を充填し、回転キャップ２０に吐出キャップ３０を装着した後で、容器本体１０を倒立姿勢にして、第２収容空間Ｓ２に第２内容液を充填するようにしてもよい。
【００５４】
以下、本発明の他の実施形態について説明する。なお、上述した実施形態と基本的な機能が同一である部分は、図中、同一の符号を付して説明を省略する。
【００５５】
図４は、本発明の他の実施形態（第２実施形態）に係る吐出容器２の初期状態を示しており、図５は、第１収容空間Ｓ１と第２収容空間Ｓ２が連通した使用状態の吐出容器２を示している。
【００５６】
吐出容器２は、容器本体１０と、容器本体１０の口部１１に回転可能に装着された回転キャップ２０と、回転キャップ２０に装着された吐出キャップ３０とを備える。先の実施形態の吐出容器１では、口部１１に対して回転キャップ２０が螺合されていたが、本実施形態の吐出容器２では、回転キャップ２０が容器本体１０に対して軸方向に移動しないように構成されている。
【００５７】
吐出容器２において、容器本体１０の口部１１の外周面には、係合凸部１１ｃが設けられている。これに対応して、回転キャップ２０の装着部２２における操作壁２５の内周面には、係合凸部２５ｂが設けられている。本例の回転キャップ２０は、打栓により容器本体１０の口部１１に装着することができる。
【００５８】
また、吐出容器２の回転キャップ２０は、外向きフランジ２３から垂下し、口部１１の内周面に当接するシール壁２３ａを有する。
【００５９】
吐出容器２において、内容器部２１には、内筒壁２１ａの周方向に沿って斜めに延在する薄肉の弱化部２１ｂが設けられている。弱化部２１ｂは、軸線Ｏに垂直な平面に対して斜めに延在している。
【００６０】
吐出容器２において、内容器部２１の内底壁２１ｃは、内筒壁２１ａの下端部に連なる傾斜部２１ｅと、傾斜部２１ｅの内周縁から垂下する嵌合筒部２１ｆと、嵌合筒部２１ｆの開口を塞ぐ閉塞壁２１ｇを有する。また、嵌合筒部２１ｆの外周面には、雄ねじ部２１ｋが設けられている。
【００６１】
吐出容器２において、容器本体１０の胴部１３の下端開口を塞ぐ底部１４は、底部本体１６のみで構成されており、底部本体１６の円筒壁１６ｆの下端部には底壁１６ｍが設けられている。また、円筒壁１６ｆの内周面には、嵌合筒部２１ｆの雄ねじ部２１ｋに係合する雌ねじ部１６ｎが設けられている。
【００６２】
吐出容器２は、図４に示す初期状態から、容器本体１０に対して回転キャップ２０を回転させると、図５に示すように、弱化部２１ｂが破断して、第１収容空間Ｓ１と第２収容空間Ｓ２とが連通するように構成されている。なお、容器本体１０に対して回転キャップ２０を回転させる方向は、嵌合筒部２１ｆの雄ねじ部２１ｋと円筒壁１６ｆの雌ねじ部１６ｎとが螺合する螺合方向（ねじ込み方向）である。回転キャップ２０を当該螺合方向に回転させることにより、容器本体１０に対する回転キャップ２０の回転に伴って嵌合筒部２１ｆが円筒壁１６ｆ内にねじ込まれて、内底壁２１ｃが軸線Ｏに沿って下方に移動する。その結果、内筒壁２１ａにおける弱化部２１ｂの上側の部分と下側の部分とが上下に離間して、弱化部２１ｂが破断することとなる。なお、図４に示す初期状態において、底壁１６ｍと閉塞壁２１ｇとの間には、嵌合筒部２１ｆが円筒壁１６ｆ内にねじ込まれるための十分な空間が形成されている。
【００６３】
このように、吐出容器２においては、容器本体１０に対して回転キャップ２０を螺合方向に回転させる操作のみで、弱化部２１ｂを破断させ、第１収容空間Ｓ１と第２収容空間Ｓ２とを連通させることができる。したがって、吐出容器１に収容された２種類の内容液を混合する過程で、内容液がこぼれたり、手に付着したりする虞がなく、容易に２種類の内容液を混合することができる。また、容器本体１０に対して回転キャップ２０を螺合方向に回転させるだけで２種類の内容液を混合することができるので、操作が容易である。
【００６４】
また、本実施形態の吐出容器２にあっては、図４に示すように、弱化部２１ｂが、内筒壁２１ａの周方向に沿って斜めに延在していることが好ましい。これによれば、特に図５に示すように、回転キャップ２０を１８０°回転させた際に、開口面積の大きな連通路が形成されることとなる。これにより、２種類の内容液をさらに混合し易くなる。
【００６５】
また、本実施形態の吐出容器２にあっては、図４、５に示すように、内筒壁２１ａにおいて弱化部２１ｂの下側の部分の外周面の直径は、弱化部２１ｂの上側の部分の内周面の直径よりも小さくなっていることが好ましい。これによれば、図５に示すように、弱化部２１ｂが破断した後で、内筒壁２１ａにおける弱化部２１ｂの上側の部分と下側の部分とが干渉し難くなるため、回転キャップ２０の回転操作をより軽い力で行うことが可能となる。
【００６６】
図６〜８は、本発明のさらに他の実施形態（第３実施形態）に係る吐出容器３を示す。図６は、吐出容器３の初期状態を示しており、図７は、第１収容空間Ｓ１と第２収容空間Ｓ２とが連通した使用状態の吐出容器３を示している。
【００６７】
吐出容器３において、内容器部２１は、内筒壁２１ａと、内筒壁２１ａの下端部に装着される可動栓部材２７とで構成されている。可動栓部材２７は、内筒壁２１ａに対する回転を抑制された状態で、内筒壁２１ａに対して軸方向（軸線Ｏに沿う方向）に移動可能に保持されている。
【００６８】
可動栓部材２７は、円筒状の筒状部２８と、筒状部２８の下端部を閉塞する下壁２９とを備える。筒状部２８の上部には、連通孔２８ａ（開口）が形成されており、筒状部２８の下部には、雄ねじ部２８ｂが設けられている。また、筒状部２８の外周面には、内筒壁２１ａに対する回転を抑制するための回転抑制部２８ｃが設けられている。本例において、回転抑制部２８ｃは、内筒壁２１ａの内周面から突出する縦リブ２１ｎが入り込む縦溝で構成されているが、回転抑制部２８ｃの形状は、これに限られない。
【００６９】
下壁２９は、筒状部２８の下端部から径方向内側に延びる環状の弾性部２９ａと、弾性部２９ａの内周縁に連なる中央壁２９ｂとで構成されている。弾性部２９ａは、中央壁２９ｂよりも薄肉に形成され、弾性変形可能となっている。
【００７０】
吐出容器３において、底部本体１６の円筒壁１６ｆの下端部には底壁１６ｍが設けられている。また、底壁１６ｍの中央部には、底上げ部１６ｐが設けられている。円筒壁１６ｆの内周面には、可動栓部材２７の雄ねじ部２８ｂに係合する雌ねじ部１６ｎが設けられている。
【００７１】
図６に示す初期状態において、筒状部２８の上部は、内筒壁２１ａの内周側に配置され、連通孔２８ａは内筒壁２１ａの内周面によって密閉されている。すなわち、図６に示す初期状態において、内筒壁２１ａの下端開口２１ｍは可動栓部材２７によって密閉されている。
【００７２】
また、図６に示す初期状態において、可動栓部材２７の雄ねじ部２８ｂの下側の一部が、円筒壁１６ｆの雌ねじ部１６ｎに係合している。また、可動栓部材２７の中央壁２９ｂは、底上げ部１６ｐに当接もしくは近接している。
【００７３】
図６に示す初期状態から、容器本体１０に対して回転キャップ２０を回転させると、図７に示すように、連通孔２８ａが開放されて（内容器部２１開口が形成されて）、第１収容空間Ｓ１と第２収容空間Ｓ２とが連通する。なお、容器本体１０に対して回転キャップ２０を回転させる方向は、可動栓部材２７の雄ねじ部２８ｂと、円筒壁１６ｆの雌ねじ部１６ｎとが螺合する螺合方向（ねじ込み方向）である。このように回転キャップ２０を当該螺合方向に回転させることにより、可動栓部材２７が円筒壁１６ｆ内にねじ込まれて、筒状部２８が軸線Ｏに沿って下方に移動する。これにより、可動栓部材２７の中央壁２９ｂが底上げ部１６ｐに当接し、弾性部２９ａの弾性変形を伴いながら図７に示す状態となる。すなわち、図６に示す初期状態において下向きに突出していた下壁２９が、図７に示すように上向きに凹となるように反転することとなる。筒状部２８の下端（下壁２９の外縁部）が底壁１６ｍに当接すると、螺合方向の回転が停止される。
【００７４】
以上の通り、吐出容器３は、容器本体１０に対して回転キャップ２０を所定方向に回転させることにより、内容器部２１に開口（連通孔２８ａ）が形成されて第１収容空間Ｓ１と第２収容空間Ｓ２とが連通するように構成されている。
【００７５】
このような構成により、吐出容器３においては、容器本体１０に対して回転キャップ２０を螺合方向に回転させる操作のみで、連通孔２８ａを開放させ、第１収容空間Ｓ１と第２収容空間Ｓ２とを連通させることができる。したがって、吐出容器１に収容された２種類の内容液を混合する過程で、内容液がこぼれたり、手に付着したりする虞がなく、容易に２種類の内容液を混合することができる。また、容器本体１０に対して回転キャップ２０を螺合方向に回転させるだけで２種類の内容液を混合することができるので、操作が容易である。
【００７６】
なお、連通孔２８ａの形状は、特に限定されるものではないが、例えば、図８（ａ）に示す四角形状、または、図８（ｂ）に示す円形もしくは星型等とすることができる。このように、意匠性の高い連通孔２８ａの形状を採用し、容器本体１０の外部から視認できるような構成とすることで、吐出容器の意匠性（美観性）を高めることができる。例えば、容器本体１０の胴部１３を透明又は半透明な材料で形成することで、２種類の内容液を混合する際に、内筒壁２１ａの下方に露出した連通孔２８ａを外部から視認可能となる。さらに、相互に色の異なる第１内溶液と第２内溶液を採用した場合には、２種類の内容液を混合する際に、第１収容空間Ｓ１から、第１内溶液が連通孔２８ａを通して第２収容空間Ｓ２側に移動する様子を視認することも可能となる。この場合、第１内容液は第２内容液よりも濃い色であることが好ましい。このような構成により、色付きの第１内容液の通過の際に連通孔２８ａの形状が、より目立つことになり、さらに意匠性を高めることができる。また、容器本体１０の胴部１３を透明又は半透明な材料で形成し、且つ、相互に色の異なる第１内溶液と第２内溶液を採用した場合には、当該２種類の内容液の混合の度合いを外部から容易に確認するができる。
【００７７】
本発明は前記実施の形態に限定されるものではなく、その要旨を逸脱しない範囲で種々変更可能であることはいうまでもない。例えば、上記実施形態においては、吐出キャップ３０が、押下げポンプ形式の吐出具３２を備える構成としたが、これに限定されず、例えば、吐出具としてスポイト構造を採用し、容器本体１０内の混合溶液を当該スポイト構造を用いて吸い上げて吐出する構成としてもよい。
【符号の説明】
【００７８】
１、２、３：吐出容器
１０：容器本体
１１：口部
１１ａ：雄ねじ部
１１ｂ：シール凸部
１１ｃ：係合凸部
１２：肩部
１３：胴部
１３ａ：係合凸部
１３ｂ：小径部
１４：底部
１５：筒状壁
１５ａ：抜け止め凸部
１５ｂ：戻り止め凸部
１６：底部本体
１６ａ：開口
１６ｂ：外周壁
１６ｃ：連結壁
１６ｄ：内周壁
１６ｅ：傾斜壁
１６ｆ：円筒壁
１６ｇ：内向き凸部
１６ｈ：係合凸部
１６ｋ：保持突起
１６ｍ：底壁
１６ｎ：雌ねじ部
１６ｐ：底上げ部
１７：底蓋
１７ａ：外筒部
１７ｂ：閉塞壁部
１７ｃ：シール筒部
１７ｄ：係合凸部
２０：回転キャップ
２１：内容器部
２１ａ：内筒壁
２１ｂ：弱化部
２１ｃ：内底壁
２１ｄ：雄ねじ部
２１ｅ：傾斜部
２１ｆ：嵌合筒部
２１ｇ：閉塞壁
２１ｈ：突起部
２１ｋ：雄ねじ部
２１ｍ：下端開口
２１ｎ：縦リブ
２２：装着部
２３：外向きフランジ
２４：螺合壁
２４ａ：雌ねじ部
２５：操作壁
２５ａ：抜け止め凸部
２５ｂ：係合凸部
２６：装着壁
２７：可動栓部材
２８：筒状部
２８ａ：連通孔
２８ｂ：雄ねじ部
２８ｃ：回転抑制部
２９：下壁
２９ａ：弾性部
２９ｂ：中央壁
３０：吐出キャップ
３１：装着キャップ
３１ａ：装着筒部
３１ｂ：内向きフランジ
３１ｃ：上側筒部
３１ｄ：雌ねじ部
３２：吐出具
３３：ポンプ部
３３ａ：シリンダ部
３３ｂ：フランジ部
３３ｃ：吸上げパイプ
３４：ステム
３５：ノズルヘッド
３６：シール部材
３７：ノズル
３８：吐出口
４０：オーバーキャップ
４１：天壁
４２：周壁
Ｏ：軸線
Ｓ：内部空間
Ｓ１：第１収容空間
Ｓ２：第２収容空間
【図１】
2020164228.tif 000003
【図２】
2020164228.tif 000004
【図３】
2020164228.tif 000005
【図４】
2020164228.tif 000006
【図５】
2020164228.tif 000007
【図６】
2020164228.tif 000008
【図７】
2020164228.tif 000009
【図８】
2020164228.tif 000010